(57)【要約】      （修正有）【課題】歯科治療に於いてチェアユニットから出る排液を殺菌して浄化し、排水する浄化システムを提供する。【解決手段】患者周りの治療設備であるチェアユニット１０と、該チェアユニットからのバキューム排液から空気を除去して排液を取り出すための排液分離器１４と、該排液分離器からの排液と前記チェアユニットからのうがい排液とを流すための透明パイプ１６と、該透明パイプ１６に紫外線殺菌灯１８からの紫外線を照射して排液を浄化するための殺菌浄水器１７と、該殺菌浄水器から浄化排水を取り出すための浄化排水管１００と、を設けて歯科治療用の排液浄化システムを構成する。【選択図】図１
0003159039.tif 000002
【実用新案登録請求の範囲】
【請求項１】
患者周りの治療設備であるチェアユニットと、該チェアユニットからのバキューム排液から空気を除去して排液を取り出すための排液分離器と、該排液分離器からの排液と前記チェアユニットからのうがい排液とを流すための排液流路と、該排液流路に紫外線殺菌灯からの紫外線を照射して排液を浄化するための殺菌浄水器と、該殺菌浄水器から浄化排水を取り出すための浄化排水管と、を備えていることを特徴とする歯科治療用の排液浄化システム。
【請求項２】
前記殺菌浄水器は、前記紫外線殺菌灯を排液流路に臨ませて設けて成るものである、請求項１に記載の歯科治療用の排液浄化システム。
【請求項３】
前記浄化排水管に浄化排水を溜めておくための浄化排水タンクを備えている、請求項１に記載の歯科治療用の排液浄化システム。
【請求項４】
前記排液流路に揚水のための揚水ポンプを介在させて成る、請求項１に記載の歯科治療用の排液浄化システム。
【請求項５】
前記殺菌浄水器の前段または後段に、更に瀘過のための浄水槽を備えている、請求項１に記載の歯科治療用の排液浄化システム。
【考案の詳細な説明】
【技術分野】
【０００１】  本考案は、患者を腰掛けさせるなどして治療するためのチェアユニットから排出される排液を浄化して歯科衛生に寄与する、歯科治療用の排液浄化システムに関する。
【背景技術】
【０００２】  従来の歯科治療に於いては、チェアユニットから出るバキューム排液から空気を除去して排液を取り出し、空気は空中に放出し、排液は傾斜排液管等の排液管に流す水回路を備えた排液排出装置が用いられて来た。なおこれとは別にうがい排液を流す回路も備えている。このような排液にはだ液、血液、歯垢等が混在しており、雑菌を含んで不衛生であった。【０００３】  このような排液が水回路に残留するため、これを排出するものとして特開２００９−２１９７２３では、水回路中の残留水を空気と共に吸引して排出する吸引回路を水回路に設けたものとしている。この他水回路中の残留水に加圧して排出するタイプのものもある。
【先行技術文献】
【特許文献】
【０００４】
【特許文献１】特開２００９−２１９７２３（図１）
【考案の概要】
【考案が解決しようとする課題】
【０００５】  しかしながら従来の排液排出装置では排液は浄化されないまま流されており、だ液、血液、歯垢等が混在し、雑菌が繁殖する不衛生な環境を不本意ながら提供していた。従って本考案はこのような問題をより簡易な方法で解決して歯科衛生に寄与することを目的とする。
【課題を解決するための手段】
【０００６】  上記課題は、患者周りの治療設備であるチェアユニットと、該チェアユニットからのバキューム排液から空気を除去して排液を取り出すための排液分離器と、該排液分離器からの排液と前記チェアユニットからのうがい排液とを流すための排液流路と、該排液流路に紫外線殺菌灯からの紫外線を照射して排液を浄化するための殺菌浄水器と、該殺菌浄水器から浄化排水を取り出すための浄化排水管と、を備えていることを特徴とする歯科治療用の排液浄化システムを提供することにより解決する。【０００７】  前記排液分離器はチェアユニットからのバキューム排液から空気を抜いて排液を出す。この排液とうがい排液とは従来のように排液流路に流されるが、本考案ではこの排液流路に殺菌浄水器が設けられており、殺菌浄水器は紫外線殺菌灯を備えており、この紫外線殺菌灯から排液流路の排液に対して紫外線を照射する。これにより排液は殺菌浄化されて排出される。従来のものと異なり本考案の排液浄化システムからは極力殺菌浄化された排水が浄化排水管に取り出される。【０００８】  なお本考案で用いる紫外線殺菌灯には水銀電球や紫外線ＬＥＤ（Ｌｉｇｈｔ  Ｅｍｉｔｔｉｎｇ  Ｄｉｏｄｅ）などがあるが、どのような紫外線殺菌灯を用いるかは任意である。【０００９】  次に、前記殺菌浄水器は、前記紫外線殺菌灯を排液流路に臨ませて設けて成るものとしても良い。紫外線殺菌灯からの紫外線を排液に照射する設計には各種あるが、排液流路に臨ませて紫外線殺菌灯を設ける設計がより簡易である。例えば床下の傾斜排液管周りに殺菌浄水器を設けることもそれほど難しくはない。【００１０】  また、前記浄化排水管に浄化排水を溜めておくための浄化排水タンクを備えているものとすることが出来る。この浄化排水タンクは一度紫外線殺菌を施した後の浄化排水を溜めることになるから従来技術に比してより衛生的である。【００１１】  また、前記排液流路に揚水のための揚水ポンプを介在させて成るものとしても良い。上述したように殺菌浄水器を床下の傾斜等排液管周りに設けることは可能であるが、それでも場合によっては床下には傾斜等排液管しか通せないと言うような建築構造もある。そこで例えば壁面内に殺菌浄水器を設けるような設計とするのであれば、殺菌浄水器まで排液を揚げるための揚水ポンプを用いる設計とすれば良い。【００１２】  また、前記殺菌浄水器の前段または後段に、更に瀘過のための浄水槽を備えているものとすることが出来る。浄水槽の瀘過部材としては木炭、トルマリン粒などの各種石類、藁などの植物の茎、浄水用の合成樹脂ファイバー等々を上げる。これような浄水槽に排液を通すことでも排液を浄化することが出来る。すなわち本考案の排液浄化システムに於ける殺菌浄水器と浄水槽との相乗効果が得られるのである。
【考案の効果】
【００１３】  本考案の歯科治療用の排液浄化システムによれば、チェアユニットの排液流路に殺菌浄水器の紫外線殺菌灯から紫外線を照射することで、排液を殺菌して浄化することが出来て歯科衛生に寄与するものとなっており、簡易なものでありながらその産業上の利益には計り知れないものがある。
【図面の簡単な説明】
【００１４】
【図１】第１実施形態の説明図である。
【図２】第２実施形態の説明図である。
【図３】第３実施形態の説明図である。
【図４】第４実施形態の説明図である。
【考案を実施するための形態】
【００１５】  以下本考案の４種類の実施形態を図１〜図４を参照しつつ説明するが、本考案はこれ等の実施形態に限定されるものではない。
【第１実施形態】
【００１６】  本実施形態の排液浄化装置１のチェアユニット１０からは、バキューム排液管１１とうがい排液管１２とが取り出されており、バキューム排液管１１は排液分離器１４に接続されており、排液分離器１４の排出口は排液弁１５を介して前記うがい排液管１２と共に傾斜排液管１３に接続されている。この傾斜排液管１３は傾斜して設置されているため、これ等の排液は自然に下流に流れるようになっている。
【００１７】  傾斜排液管１３の下流には排液流路としての透明パイプ１６があり、この透明パイプ１６は殺菌浄水器１７で周りを覆われている。この殺菌浄水器１７は透明パイプ１６の周りに設けられた複数個の紫外線殺菌灯１８と、その各々が備えるリフレクタ１９とから構成されている。リフレクタ１９は紫外線殺菌灯１８から発せられる紫外線を透明パイプ１６の方に反射する役割を担う。なお透明パイプ１６の下流は浄化排水管１００が接続されている。
【００１８】  本実施形態によれば、殺菌浄水器１７は透明パイプ１６の周りに紫外線殺菌灯１８を設けただけの簡易なものであるが、これによって排液を殺菌して浄化することが出来ると言う効果を奏する。すなわち従来技術に比してより衛生的なものとなっている。
【第２実施形態】
【００１９】  図２は本実施形態の排液浄化装置２に係るが、チェアユニットや排液分離器は図示を省略している。さてチェアユニットや排液分離器から繋る排液管２３は、殺菌浄水器２０に接続されている。この殺菌浄水器２０は円筒形状を呈し、その内部は排液流路２１となっており、この排液流路２１中に複数本の紫外線殺菌灯２２が各々間を空けて排液流路２１に沿って架け渡されている。すなわち殺菌浄水器２０の紫外線殺菌灯２２の間間が排液流路２１であるから、ここを流れている排液は紫外線により殺菌浄化されることになる。
【００２０】  このようにして殺菌浄化された浄化排水は、浄化排水管２４を介して浄化排水タンク２５に貯蔵される。なお符号２６は浄化排水タンク２５のタンク排水管を指す。
【第３実施形態】
【００２１】  図３は本実施形態の排液浄化装置３に係り、チェアユニット及び排液分離器は図示を省略しているが、チェアユニットや排液分離器から繋る排液管３３は殺菌浄水器３０の頂部に接続されており、殺菌浄水器３０の浄化排水管３４は殺菌浄水器３０の底部より取り出され浄化排水タンク３５に接続されている。なお符号３６は浄化排水タンク３５のタンク排水管を指している。
【００２２】  この殺菌浄水器３０の内部は、スロープが傾斜の方向を互い違いに変えて４段に組み合わされているため、矢線で示した排液流路３２をジクザグに排液が流れ下ることになる。この際に図３の背後の紫外線照射壁面３１から紫外線を照射される。従って排液は長い排液流路３２で繰り返し紫外線の照射を浴びて効率良く殺菌浄化されるのである。なお紫外線照射壁面３１はガラス面であり、この背後に図示しない紫外線殺菌灯が配設されている。
【第４実施形態】
【００２３】  本実施形態の排液浄化装置４のチェアユニット４０からは、バキューム排液管４１とうがい排液管４２とが取り出されており、バキューム排液管４１は排液分離器４４に接続されており、排液分離器４４の排出口は排液弁４５を介して前記うがい排液管４２と共に排液管４３に接続されている。排液管４３はこの実施形態では水平に設置されている。
【００２４】  傾斜排液管４３の下流には透明パイプ４６があり、この透明パイプ４６は殺菌浄水器４７で周りを覆われている。この殺菌浄水器４７は透明パイプ４６の周りに設けられた複数個の紫外線殺菌灯４８と、その各々が備えるリフレクタ４９とから構成されている。この殺菌浄水器４７は前記水平に設置された排液管４３よりも高い位置に設置されている。従って排液管４３と透明パイプ４６との間には揚水ポンプ４０１を介在させて、排液を排液流路である透明パイプ４６まで揚げるようにしているのである。
【００２５】  而して殺菌浄水器４７の透明パイプ４６の流路を通過する排液は周りの紫外線殺菌灯４８から紫外線の照射を受けて殺菌浄化されるが、更に透明パイプ４６から繋る中継管４００を経て浄水槽４０２で瀘過され、こうして得られた浄化排水は浄化排水管４０３より排出される。なお本実施形態では浄水槽４０２には２種類の活性炭と２種類の中空糸膜との計４層の瀘過物質が充填されており、これ等はカートリッジとして交換可能なものである。
【其の他の実施形態】
【００２６】  なお紫外線殺菌灯を備えた殺菌浄水器にどのような形態のものを使用するかは任意である。また排液分離器からの排液を流すための排液流路とチェアユニットからのうがい排液を流すための排液流路とを別々に設けて、その各々に殺菌浄水器を適用する構成も本考案の権利範囲内にある。またうがい排液とはバキュームされていない排液のことであるから、この意味でうがい等排液と読み替えて差し支えない。すなわち本考案は、患者周りの治療設備であるチェアユニットと、該チェアユニットからのバキューム排液から空気を除去して排液を取り出すための排液分離器と、該排液分離器からの排液とチェアユニットからの非バキューム排液とを流すための排液流路と、該排液流路に紫外線殺菌灯からの紫外線を照射して排液を浄化するための殺菌浄水器と、該殺菌浄水器から浄化排水を取り出すための浄化排水管とを備えていることを特徴とする歯科治療用の排液浄化システムである。
【産業上の利用可能性】
【００２７】  本考案の排液浄化システムは単に歯科治療用に限定されることなく、医療分野全般に広く適用可能である。この場合チェアユニットを必要に応じてベッドユニットなどとすれば良い。
【符号の説明】
【００２８】  １    ：排液浄化装置            １０  ：チェアユニット
１１  ：バキューム排液管        １２  ：うがい排液管
１３  ：傾斜排液管              １４  ：排液分離器
１５  ：排液弁                  １６  ：透明パイプ
１７  ：殺菌浄水器              １８  ：紫外線殺菌灯
１９  ：リフレクタ              １００：浄化排水管
２    ：排液浄化装置            ２０  ：殺菌浄水器
２１  ：排液流路                ２２  ：紫外線殺菌灯
２３  ：排液管                  ２４  ：浄化排水管
２５  ：浄化排水タンク          ２６  ：タンク排水管
３    ：排液浄化装置            ３０  ：殺菌浄水器
３１  ：紫外線照射壁面          ３２  ：排液流路
３３  ：排液管                  ３４  ：浄化排水管
３５  ：浄化排水タンク          ３６  ：タンク排水管
４    ：排液浄化装置            ４０  ：チェアユニット
４１  ：バキューム排液管        ４２  ：うがい排液管
４３  ：排液管                  ４４  ：排液分離器
４５  ：排液弁                  ４６  ：透明パイプ
４７  ：殺菌浄水器              ４８  ：紫外線殺菌灯
４９  ：リフレクタ              ４００：中継管
４０１：揚水ポンプ              ４０２：浄水槽
４０３：浄化排水管
【図１】
0003159039.tif 000003
【図２】
0003159039.tif 000004
【図３】
0003159039.tif 000005
【図４】
0003159039.tif 000006